(57)【要約】【課題】新たなデータ作成の手間を要することなく、フィットの具合を購入前に確認することのできる既製品衣類ネットショッピング装置を提供する。【解決手段】ユーザから体型サイズデータの入力を受け付けてユーザサイズデータベースに登録する手段と、ショッピングページにおける衣類の選択時に、当該衣類のサイズ毎の既製品型紙データを既製品型紙データベースから取得する手段と、前記ユーザサイズデータベースに登録されている体型サイズデータからユーザ型紙を作成する手段と、前記既製品型紙データと前記ユーザ型紙とを比較して適合性を判定する手段と、判定された適合性を前記衣類のサイズ毎に表示する手段とを備える。【選択図】図１
2010113660.tif 000002
【特許請求の範囲】
【請求項１】
ユーザから体型サイズデータの入力を受け付けてユーザサイズデータベースに登録する手段と、
ショッピングページにおける衣類の選択時に、当該衣類のサイズ毎の既製品型紙データを既製品型紙データベースから取得する手段と、
前記ユーザサイズデータベースに登録されている体型サイズデータからユーザ型紙を作成する手段と、
前記既製品型紙データと前記ユーザ型紙とを比較して適合性を判定する手段と、
判定された適合性を前記衣類のサイズ毎に表示する手段と
を備えたことを特徴とする既製品衣類ネットショッピング装置。
【請求項２】
請求項１に記載の既製品衣類ネットショッピング装置において、
前記衣類のサイズ毎に、きつい部分、緩い部分、長い部分、短い部分を示す不適合表示を行う
ことを特徴とする既製品衣類ネットショッピング装置。
【請求項３】
請求項１に記載の既製品衣類ネットショッピング装置において、
前記衣類のサイズ毎に、前記既製品型紙データと前記ユーザ型紙の輪郭をオーバーラップさせて表示する
ことを特徴とする既製品衣類ネットショッピング装置。
【請求項４】
請求項１乃至３のいずれか一項に記載の既製品衣類ネットショッピング装置において、
前記衣類のサイズのいずれかに対し、最もフィットするサイズであることを示す推奨表示を行う
ことを特徴とする既製品衣類ネットショッピング装置。
【請求項５】
請求項１乃至４のいずれか一項に記載の既製品衣類ネットショッピング装置において、
前記ユーザサイズデータベースに登録されている体型サイズデータに基づき、前記既製品型紙データベースから取得した既製品型紙データの頂点座標を移動することによりユーザ型紙を作成する
ことを特徴とする既製品衣類ネットショッピング装置。
【請求項６】
請求項１乃至４のいずれか一項に記載の既製品衣類ネットショッピング装置において、
前記ユーザサイズデータベースに登録されている体型サイズデータと型紙作成ルールデータベースの型紙作成ルールとに基づいてユーザ型紙を作成する
ことを特徴とする既製品衣類ネットショッピング装置。
【請求項７】
ユーザから体型サイズデータの入力を受け付けてユーザサイズデータベースに登録する工程と、
ショッピングページにおける衣類の選択時に、当該衣類のサイズ毎の既製品型紙データを既製品型紙データベースから取得する工程と、
前記ユーザサイズデータベースに登録されている体型サイズデータからユーザ型紙を作成する工程と、
前記既製品型紙データと前記ユーザ型紙とを比較して適合性を判定する工程と、
判定された適合性を前記衣類のサイズ毎に表示する工程と
を備えたことを特徴とする既製品衣類ネットショッピング制御方法。
【発明の詳細な説明】
【技術分野】
【０００１】
本発明は、インターネット等のネットワークを介して商品の売買を行う技術に関する。
【背景技術】
【０００２】
昨今、インターネットを利用した商品の売買が盛んに行われるようになっており、日常生活において不可欠の存在となっている。
【０００３】
ところで、既製品の衣類のネットショッピングでは、Ｓ、Ｍ、Ｌ等のサイズを目安として自分の体型に合った衣類を選択することが多いが、同じサイズであってもメーカーやデザイン等により、きつい部分があったり緩い部分があったりと、必ずしも体型にフィットする衣類を選択できない場合がある。
【０００４】
このような不都合を解消するため、衣類３次元モデルデータと購入者の３次元モデル体型データとを比較し、フィットの具合を購入前に確認できるようにした技術がある（例えば、特許文献１参照。）。
【特許文献１】特開２００４−３６２１９５号公報
【発明の開示】
【発明が解決しようとする課題】
【０００５】
上述した衣類３次元モデルデータと３次元モデル体型データとを用いる手法では、購入前にきつい部分や緩い部分を確認できるため、体型にフィットする衣類を選択できるという利点があるが、ネットショッピングに出品する全ての衣類について事前に衣類３次元モデルデータを用意しなければならず、データ作成のための時間とコストが膨大となり、実現性に乏しいという問題があった。
【０００６】
本発明は上記の従来の問題点に鑑み提案されたものであり、その目的とするところは、新たなデータ作成の手間を要することなく、フィットの具合を購入前に確認することのできる既製品衣類ネットショッピング装置を提供することにある。
【課題を解決するための手段】
【０００７】
上記の課題を解決するため、本発明にあっては、請求項１に記載されるように、ユーザから体型サイズデータの入力を受け付けてユーザサイズデータベースに登録する手段と、ショッピングページにおける衣類の選択時に、当該衣類のサイズ毎の既製品型紙データを既製品型紙データベースから取得する手段と、前記ユーザサイズデータベースに登録されている体型サイズデータからユーザ型紙を作成する手段と、前記既製品型紙データと前記ユーザ型紙とを比較して適合性を判定する手段と、判定された適合性を前記衣類のサイズ毎に表示する手段とを備える既製品衣類ネットショッピング装置を要旨としている。
【０００８】
また、請求項２に記載されるように、請求項１に記載の既製品衣類ネットショッピング装置において、前記衣類のサイズ毎に、きつい部分、緩い部分、長い部分、短い部分を示す不適合表示を行うようにすることができる。
【０００９】
また、請求項３に記載されるように、請求項１に記載の既製品衣類ネットショッピング装置において、前記衣類のサイズ毎に、前記既製品型紙データと前記ユーザ型紙の輪郭をオーバーラップさせて表示するようにすることができる。
【００１０】
また、請求項４に記載されるように、請求項１乃至３のいずれか一項に記載の既製品衣類ネットショッピング装置において、前記衣類のサイズのいずれかに対し、最もフィットするサイズであることを示す推奨表示を行うようにすることができる。
【００１１】
また、請求項５に記載されるように、請求項１乃至４のいずれか一項に記載の既製品衣類ネットショッピング装置において、前記ユーザサイズデータベースに登録されている体型サイズデータに基づき、前記既製品型紙データベースから取得した既製品型紙データの頂点座標を移動することによりユーザ型紙を作成するようにすることができる。
【００１２】
また、請求項６に記載されるように、請求項１乃至４のいずれか一項に記載の既製品衣類ネットショッピング装置において、前記ユーザサイズデータベースに登録されている体型サイズデータと型紙作成ルールデータベースの型紙作成ルールとに基づいてユーザ型紙を作成するようにすることができる。
【００１３】
また、請求項７に記載されるように、ユーザから体型サイズデータの入力を受け付けてユーザサイズデータベースに登録する工程と、ショッピングページにおける衣類の選択時に、当該衣類のサイズ毎の既製品型紙データを既製品型紙データベースから取得する工程と、前記ユーザサイズデータベースに登録されている体型サイズデータからユーザ型紙を作成する工程と、前記既製品型紙データと前記ユーザ型紙とを比較して適合性を判定する工程と、判定された適合性を前記衣類のサイズ毎に表示する工程とを備える既製品衣類ネットショッピング制御方法として構成することができる。
【発明の効果】
【００１４】
本発明の既製品衣類ネットショッピング装置にあっては、既製品の衣類であれば必ず存在する型紙データを用いることにより、新たなデータ作成の手間を要することなく、フィットの具合を購入前に確認することができる。
【発明を実施するための最良の形態】
【００１５】
以下、本発明の好適な実施形態につき説明する。
【００１６】
＜構成＞
図１は本発明の一実施形態にかかるシステムの構成例を示す図である。
【００１７】
図１において、インターネット等のネットワーク１には、ユーザが操作するＰＣ（Personal Computer）、ＰＤＡ（Portable Digital Assistants）、携帯電話等の端末２が複数接続されるとともに、ネットショッピングサービスを提供するショッピングサーバ３が接続されている。端末２は一般的なブラウザ（Ｗｅｂブラウザ）２１を備えている。
【００１８】
ショッピングサーバ３は、機能部として、ユーザサイズ登録部３０１と商品情報取得部３０２と型紙検索部３０３とユーザ型紙作成部３０４と型紙比較部３０５と適合性表示部３０６とサイズ決定受付部３０７と商品購入処理部３０８とを備えている。これらの機能部は、ショッピングサーバ３を構成するコンピュータのＣＰＵ（Central Processing Unit）、ＲＯＭ（Read Only Memory）、ＲＡＭ（Random Access Memory）等のハードウェア資源上で実行されるコンピュータプログラムによって実現されるものである。これらの機能部は、単一のコンピュータ上に配置される必要はなく、必要に応じて分散される形態であってもよい。
【００１９】
また、ショッピングサーバ３は、データベースとして、ユーザサイズデータベース３１１と商品データベース３１２と既製品型紙データベース３１３と型紙作成ルールデータベース３１４とを備えている。これらのデータベースは、ショッピングサーバ３内のＨＤＤ（Hard Disk Drive）等の記憶媒体上にデータを体系的に保持するものである。型紙作成ルールデータベース３１４は、処理手法により省略される場合がある。
【００２０】
ユーザサイズ登録部３０１は、端末２のブラウザ２１を操作するユーザからの要求に応じ、身長等のユーザサイズ（体型サイズデータ）をユーザサイズデータベース３１１に登録する機能を有している。
【００２１】
商品情報取得部３０２は、端末２のブラウザ２１を操作するユーザからの要求に応じ、商品データベース３１２から商品情報を取得して商品ページを表示する機能を有している。
【００２２】
型紙検索部３０３は、商品ページからユーザにより選択された衣類に応じ、既製品型紙データベース３１３から既製品型紙データを取得する機能を有している。
【００２３】
ユーザ型紙作成部３０４は、商品ページからユーザにより選択された衣類に応じ、ユーザサイズデータベース３１１に事前登録されているユーザサイズに基づいてユーザ型紙データを作成する機能を有している。同じユーザサイズであっても型紙はメーカーやデザイン等によって異なるため、選択された衣類に応じてユーザ型紙データを作成するものとしている。ユーザ型紙データの作成は、既製品型紙データを元にして、既製品型紙データの基準サイズ（当該型紙の作成基準となる身長、首周り、袖丈、胸囲、ウエスト、ヒップ等のサイズ）とユーザサイズとの比率から、型紙の輪郭を定める頂点を移動することにより生成する手法や、型紙作成ルールデータベース３１４の原型データおよび型紙作成コマンド列にユーザサイズを適用して生成する手法がある。
【００２４】
型紙比較部３０５は、型紙検索部３０３で取得された既製品型紙データとユーザ型紙作成部３０４で作成されたユーザ型紙データとを比較する機能を有している。比較は、主に、型紙の中心線等の基準線からの、型紙の輪郭を定める頂点の距離の大小に着目して行う。
【００２５】
適合性表示部３０６は、型紙比較部３０５の比較結果に基づき、きつい部分、緩い部分、長い部分、短い部分の有無等を視覚的に表示する適合性表示を生成する機能を有している。
【００２６】
サイズ決定受付部３０７は、商品ページからユーザにより選択されたサイズ（既にユーザにより選択されている衣類のサイズ）を受け付ける機能を有している。
【００２７】
商品購入処理部３０８は、ユーザにより選択された衣類およびサイズにつき、決済を含む商品購入処理を行う機能を有している。
【００２８】
図２は各種データベースのデータ構造例を示す図である。
【００２９】
図２（ａ）はユーザサイズデータベース３１１のデータ構造例を示しており、「ユーザＩＤ」「身長」「首周り」「袖丈」「胸囲」「ウエスト」「ヒップ」等の項目を有している。
【００３０】
図２（ｂ）は商品データベース３１２のデータ構造例を示しており、「商品ＩＤ」「サイズ情報」「型紙ＩＤ」「商品画像」「カテゴリ」等の項目を有している。
【００３１】
図２（ｃ）は既製品型紙データベース３１３のデータ構造例を示しており、「型紙ＩＤ」「型紙データ本体」等の項目を有している。型紙データ本体は、図形情報を含むＣＡＤ（Computer Aided Design）データを想定しているが、イメージデータであってもよい。既製品の衣類については原則として型紙データが存在するため、出品者あるいはメーカーから提供を受けて蓄積する。
【００３２】
図２（ｄ）は型紙作成ルールデータベース３１４のデータ構造例を示しており、「商品ＩＤ」「原型データ／型紙作成コマンド列」等の項目を有している。型紙作成コマンド列をＣＡＤアプリケーション上で実行することにより、ユーザサイズを取り込み、原型データの頂点を移動させることで、ユーザ型紙データを生成することができる。なお、原型データを用いずに型紙作成コマンド列のみの動作でユーザ型紙データを生成することもできる。
【００３３】
＜動作＞
図３は上記の実施形態の処理例を示すシーケンス図である。
【００３４】
図３において、ユーザは端末２のブラウザ２１からショッピングサーバ３に既にアクセスし、ログイン処理（ユーザＩＤ、パスワードの入力等）を行い、クッキー等によりセッションが確認された状態にあるものとする。
【００３５】
この状態でユーザが端末２のブラウザ２１からショッピングサーバ３のユーザサイズ登録部３０１にユーザサイズ登録ページの要求を行うと（ステップＳ１）、ユーザサイズ登録部３０１は端末２のブラウザ２１に対してユーザサイズ登録ページのデータを送信し（ステップＳ２）、端末２のブラウザ２１はユーザサイズ登録ページを表示する。図４はユーザサイズ登録ページの画面例を示す図であり、身長、首周り、袖丈、胸囲、ウエスト、ヒップ等のサイズ入力欄２０１と、サイズ入力完了後に登録を指示する登録ボタン２０２とが設けられている。
【００３６】
図３に戻り、ユーザが端末２のブラウザ２１においてユーザサイズ登録ページにサイズの入力を行い、登録ボタンを押下して入力を完了すると（ステップＳ３）、端末２のブラウザ２１はショッピングサーバ３のユーザサイズ登録部３０１に入力内容を送信する（ステップＳ４）。
【００３７】
ショッピングサーバ３のユーザサイズ登録部３０１は、既にログインにより認識されているユーザＩＤと受信した入力内容とをユーザサイズデータベース３１１に設定する（ステップＳ５）。
【００３８】
その後、ユーザが端末２のブラウザ２１からショッピングサーバ３の商品情報取得部３０２にカテゴリ等を指定して商品ページの要求を行うと（ステップＳ６）、商品情報取得部３０２は商品データベース３１２を検索して該当商品の商品情報を取得し（ステップＳ７）、商品ページとして端末２のブラウザ２１に表示データを送信し（ステップＳ８）、端末２のブラウザ２１は商品ページを表示する。図５（ａ）は商品ページの例を示しており、ここでは商品画像表示欄２１１に３つの衣類が表示された状態を示している。
【００３９】
図３に戻り、ユーザが端末２のブラウザ２１において商品ページから衣類の選択を行うと（ステップＳ９）、端末２のブラウザ２１はショッピングサーバ３の商品情報取得部３０２に選択内容（商品ＩＤ）を送信する（ステップＳ１０）。図５（ｂ）は商品画像表示欄２１１からマウスポインタ２１２により右端の衣類が選択された状態を示している。
【００４０】
図３に戻り、商品情報取得部３０２は、受信した商品ＩＤに基づき、当該衣類に用意された複数のサイズについての型紙ＩＤとその他の商品情報を取得し（ステップＳ１１）、型紙検索部３０３にユーザＩＤと商品ＩＤと型紙ＩＤ（複数）とを与える（ステップＳ１２）。
【００４１】
型紙検索部３０３は、商品情報取得部３０２から取得した型紙ＩＤに基づいて既製品型紙データベース３１３を検索して型紙データを取得し（ステップＳ１３）、ユーザ型紙作成部３０４にユーザＩＤと商品ＩＤと複数の型紙データ（商品型紙データ）とを与える（ステップＳ１４）。ユーザ型紙作成部３０４は、複数の型紙データ（既製品型紙データ）を型紙比較部３０５に転送する（ステップＳ１５）。
【００４２】
また、ユーザ型紙作成部３０４は、商品情報取得部３０２から型紙検索部３０３を介して取得したユーザＩＤに基づき、ユーザサイズデータベース３１１を検索してユーザサイズを取得し（ステップＳ１６）、型紙検索部３０３から取得した既製品型紙データのいずれか、例えば代表的なサイズの既製品型紙データに基づき、既製品型紙データの基準サイズとユーザサイズとの比率から、型紙の輪郭を定める頂点を移動することによりユーザ型紙データを生成する（ステップＳ１７）。この場合、既製品型紙データには基準サイズが含まれていることを前提としている。ユーザ型紙作成部３０４は作成したユーザ型紙データを型紙比較部３０５に与える（ステップＳ１８）。
【００４３】
また、型紙作成ルールデータベース３１４のルールを用いてユーザ型紙データを作成する場合、ユーザ型紙作成部３０４は、型紙検索部３０３から取得した商品ＩＤに基づいて型紙作成ルールデータベース３１４から原型データ／型紙作成コマンド列を取得し、ユーザサイズをパラメータとして実行することでユーザ型紙データを作成する（ステップＳ１７）。この場合、型紙検索部３０３からの既製品型紙データを待つ必要はないため、より早い時点、例えば商品情報取得部３０２が商品選択を受信した時点（ステップＳ１０）の直後にユーザ型紙作成部３０４が商品ＩＤとユーザＩＤとを取得することで、ユーザ型紙データの作成を開始することができる。
【００４４】
次いで、型紙比較部３０５は、型紙検索部３０３から取得した既製品型紙データとユーザ型紙作成部３０４から取得したユーザ型紙データとを比較し（ステップＳ１９）、比較結果を適合性表示部３０６に与える（ステップＳ２０）。比較は、主に、型紙の中心線等の基準線からの、型紙の輪郭を定める頂点の距離の大小に着目して行う。
【００４５】
適合性表示部３０６は、型紙比較部３０５から与えられた比較結果に基づき、きつい部分、緩い部分、長い部分、短い部分の有無等を視覚的に表示する適合性表示を生成し（ステップＳ２１）、適合性表示部３０６は適合性表示を商品情報取得部３０２に与える（ステップＳ２２）。適合性表示には、きつい部分、緩い部分、長い部分、短い部分を指し示す所定の記号画像を挿入する指示や、適切なサイズを推奨する囲み等を挿入する指示や、両型紙の輪郭の差を示すべく型紙の輪郭をオーバーラップさせて表示させる指示等が含まれる。
【００４６】
商品情報取得部３０２は、商品データベース３１２の検索（ステップＳ１１）により自ら取得したサイズ毎の商品情報（主に商品画像）に対し、適合性表示部３０６から取得した適合性表示を適用し、サイズ状況の表示データを端末２のブラウザ２１に送信する（ステップＳ２３）。端末２のブラウザ２１ではサイズ状況を含む商品ページを表示する。
【００４７】
図５（ｃ）は商品画像表示欄２１１に加えてサイズ状況表示欄２１３が表示された商品ページの画面例を示している。この例では、サイズＳの衣類につき、胸囲部分とウエスト部分がきついことを示す不適合表示２１４、２１５が表示され、サイズＬの衣類につき、胸囲部分が緩いことを示す不適合表示２１６が示されている。きつい部分を示す不適合表示２１４、２１５は例えば赤色、緩い部分を示す不適合表示２１６は例えば青色とすることができる。また、サイズＭの衣類が最もフィットするものであることを示す推奨囲み２１７が表示されている。
【００４８】
図３に戻り、ユーザは端末２のブラウザ２１においてサイズ状況を確認した上で、所望のサイズを選択する（ステップＳ２４）。図５（ｄ）はサイズの選択の例を示しており、サイズ状況表示欄２１３からサイズＭの衣類をマウスポインタ２１８によりクリックすることで選択を行っている。
【００４９】
図３に戻り、端末２のブラウザ２１は、ユーザの選択内容をショッピングサーバ３のサイズ決定受付部３０７に送信し（ステップＳ２５）、サイズ決定受付部３０７は商品購入処理部３０８に商品ＩＤとサイズを与える（ステップＳ２６）。これにより、商品購入処理部３０８は商品購入処理に入り、決済方法や送付先等の周知の商品購入処理を行う（ステップＳ２７）。
【００５０】
＜総括＞
以上説明したように、本発明の実施形態によれば、既製品の衣類であれば必ず存在する型紙データを用いることにより、新たなデータ作成の手間を要することなく、フィットの具合を購入前に確認することができ、安心した商品購入を行わせることができる。
【００５１】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００５２】
【図１】本発明の一実施形態にかかるシステムの構成例を示す図である。
【図２】各種データベースのデータ構造例を示す図である。
【図３】実施形態の処理例を示すシーケンス図である。
【図４】ユーザサイズ登録ページの画面例を示す図である。
【図５】商品ページの画面例を示す図である。
【符号の説明】
【００５３】
１                  ネットワーク
２                  端末
２１                ブラウザ
２０１              サイズ入力欄
２０２              登録ボタン
２１１              商品画像表示欄
２１２              マウスポインタ
２１３              サイズ状況表示欄
２１４〜２１６      不適合表示
２１７              推奨囲み
２１８              マウスポインタ
３                  ショッピングサーバ
３０１              ユーザサイズ登録部
３０２              商品情報取得部
３０３              型紙検索部
３０４              ユーザ型紙作成部
３０５              型紙比較部
３０６              適合性表示部
３０７              サイズ決定受付部
３０８              商品購入処理部
３１１              ユーザサイズデータベース
３１２              商品データベース
３１３              既製品型紙データベース
３１４              型紙作成ルールデータベース
【図１】
2010113660.tif 000003
【図２】
2010113660.tif 000004
【図３】
2010113660.tif 000005
【図４】
2010113660.tif 000006
【図５】
2010113660.tif 000007